(57)【特許請求の範囲】
【請求項１】
機器および導体が収納されるとともに両側部に形成された開口部を有する筐体と、前記筐体の両側部に形成された開口部を閉塞するとともに前記機器の対地間絶縁距離に相当する深さを有する接地カバー体とを設け、輸送および搬出入時は前記接地カバー体を収納または取り外すことができる構造としたことを特徴とするスイッチギヤ。
【請求項２】
前記接地カバー体は、前記筐体の内部側に収納されることを特徴とする請求項1に記載のスイッチギヤ。
【請求項３】
前記接地カバー体の周縁部にフランジ部を設け、前記接地カバー体の前記フランジ部と前記筐体の側部とを締結体で着脱可能に取り付けたことを特徴とする請求項１に記載されているスイッチギヤ。
【請求項４】
機器および導体が収納されるとともに両側部に形成された開口部を有する筐体と、前記筐体の両側部に形成された開口部を閉塞するとともに前記機器の対地間絶縁距離に相当する深さを有する接地カバー体とを設け、輸送および搬出入時は前記接地カバー体を前記筐体の内部側に収納または取り外すことができる構造とし、前記接地カバー体の外端側に設けられた第１のフランジと、前記接地カバー体の前記筐体の内側に位置するように設けられ、前記第１のフランジと相対向する第２のフランジと、前記筐体に形成されたガイド穴に貫挿されるとともに前記第１のフランジと前記第２のフランジとに取り付けられたガイド棒とを備え、前記接地カバー体は前記ガイド棒により前記筐体に形成された前記ガイド穴にガイドされて前記筐体の内部側に収納または前記筐体の外部側に引き出されることを特徴とするスイッチギヤ。
【請求項５】
機器および導体が収納されるとともに両側部に形成された開口部を有する筐体と、前記筐体の両側部に形成された開口部を閉塞するとともに前記機器の対地間絶縁距離に相当する深さを有する接地カバー体とを設け、輸送および搬出入時は前記接地カバー体を前記筐体の内部側に収納または取り外すことができる構造とし、前記接地カバー体の外端側に設けられた第１のフランジと、前記接地カバー体の前記筐体の内側に位置するように設けられ、前記第１のフランジと相対向する第２のフランジと、前記筐体に形成された取付用穴と、前記筐体に形成された前記取付用穴と同軸上に前記第１のフランジに設けられた取付用穴と、前記筐体に形成された前記取付用穴と同軸上に前記第２のフランジに設けられた雌ネジ部材とを備え、前記筐体と前記第１のフランジまたは前記筐体と前記第２のフランジとを締結体により取り付けるようにしたことを特徴とするスイッチギヤ。
【発明の詳細な説明】
【技術分野】
【０００１】
この発明は、例えば、輸送時にはコンパクトにまとめる事ができる信頼性の高いスイッチギヤに関するものである。
【背景技術】
【０００２】
従来、スイッチギヤとしては、例えば、図１４および図１５に示すようなものがある。図１４は従来の代表的なスイッチギヤの正面図を示し、図１５はスイッチギヤの断面側面図を示している。
【０００３】
図１４および図１５において、１００はスイッチギヤの筐体、３００はスイッチギヤの筐体１００内に収納搭載した搬出形電力遮断器である。１００tはスイッチギヤの筐体１
００の正面側に設けた扉であり、スイッチギヤ内部の点検や搬出形電力遮断器３００の搬出入時に開閉可能になっている。
【０００４】
このスイッチギヤにおいて、例えばスイッチギヤ正面側のブッシング４で受電した高電圧電流は受電側の可撓導体５を介して、搬出形電力遮断器３００の上部端子６、電力遮断筒７、下部端子８を通り、スイッチギヤの筐体１００に支持絶縁物１４で絶縁支持された導体９を通過し、負荷側の可撓導体１０を介してスイッチギヤ後部のブッシング１１から送電する。
【０００５】
上部端子６、電力遮断筒７、下部端子８は、搬出形電力遮断器３００の接地された遮断器台車３００aから支持絶縁物１２及び支持絶縁物１３で絶縁支持されて、一体として搬
出形遮断器３００を構成している。
【０００６】
一般に、ブッシング４及びブッシング１１と搬出形電力遮断器３００、導体９との通電接続は、製作誤差吸収の為に、可撓導体５及び可撓導体１０を介して接続されている。
【０００７】
このように構成したスイッチギヤの通電部は高電圧であり、それらの機械的な支持部は、予め設計された支持絶縁物で絶縁支持し、三相の相間や高電圧部と筐体などの対地間の空間部分は、空気の絶縁耐力において耐えうる所定の空間距離を確保して配置してある。このため、スイッチギヤの幅寸法Ｗは、主回路の回路電圧に対応して大きなものとなっている。
【０００８】
スイッチギヤの幅寸法Ｗを縮小するための方策として、相間や対地間に絶縁バリヤを設けた従来のスイッチギヤの他の例として、図１６および図１７に示すようなものがある。図１６は従来の他の例のスイッチギヤの正面図を示し、図１７はスイッチギヤの断面側面図を示している。
【０００９】
図１６および図１７において、１０１は三相の相間距離及び対地距離間を縮小して幅寸法を縮小したスイッチギヤの筐体、３０１は絶縁バリヤで相間距離及び対地間距離を縮小して幅寸法を縮小した搬出形電力遮断器である。絶縁バリヤ１５が高電圧部の三相の相間及び対地間に配置され、バリヤ支え金具１６で遮断器台車３０１aから支持している。さ
らに、絶縁バリヤの構造的保持の為に遮断器３０１の幅方向に渡した絶縁棒１７で、絶縁バリヤ１５を構造物として相互に支えた枠組み構造としている。絶縁棒１７は絶縁梁とすることも可能である。
【００１０】
さらに、スイッチギヤ内の導体９の相間に相間絶縁バリヤ１８、スイッチギヤの筐体１
０１の両側の内側面に対地間絶縁バリヤ１９を、スイッチギヤの筐体１０１からバリヤ支持金具２０で配置支持する構造としている。
【先行技術文献】
【特許文献】
【００１１】
【特許文献１】特開２００３−２９９２１１号公報
【発明の概要】
【発明が解決しようとする課題】
【００１２】
上述した従来のスイッチギヤは、変電所内でトランスや他の電気機器と共に電力の流通に即して配置され、それぞれの機器スペースと機器の保守点検に要するスペースで敷地が確保されるが、更にそれぞれの機器の更新などの取替えの為に、変電所の敷地や電気室及び電気室に至る経路において機器の搬出入が可能な通路スペースを確保する必要がある。
【００１３】
この搬出入に必要な通路スペースは、外部アクセス道からの変電所あるいは電気室の位置・距離にもよるが、その占有スペースは非常に大きなものとなる場合がある。そして、この搬出入スペースは通常の運転時には不要なスペースであるが、万が一の機器の取替えや機器寿命による設備更新の為には必要不可欠なスペースである。従って、変電所敷地あるいは建屋スペースの効率的な利用の為には、こうした通常使用しないデッドスペースは極力少ない事が望ましい。
【００１４】
この通路スペース（特に搬出入路の幅）を極力少なくするための手段として、機器の小形化は勿論であるが、一般的にはスイッチギヤの筐体を分解し主回路導体などを取外しての輸送、搬出入が行なわれる。高電圧電力機器の小形化では、ガス絶縁スイッチギヤなど高い絶縁耐力の絶縁ガスを密閉して機器を小形化する方法が一般的に採用されている。
【００１５】
しかし、スイッチギヤ据付時や内部機器の取替えあるいは更新時に絶縁ガス処理時間や精密な密閉作業が必要で設備停電時間が多くかかるという欠点やスイッチギヤを製作している工場に比べて塵埃や高温多湿など周囲条件の悪い環境条件における絶縁信頼性確保の為、異物や水分管理を充分徹底するための作業環境整備施策が必要であるなどの問題がある。
【００１６】
そのため、中電圧領域など通常の気中絶縁で設計できる電圧領域の機器で内部機器の取替えや更新時の設備停電時間を極力短縮する事を優先する変電所においては、絶縁バリヤを有効に利用して縮小化し、搬出形電力遮断器を収納したスイッチギヤが採用されている。
【００１７】
しかしながら、絶縁バリヤを設けたスイッチギヤは、絶縁バリヤが薄い絶縁板でしかも大形であるため、輸送時の振動などで破損する可能性を考慮して、輸送時には絶縁バリヤを取外して、据付場所で組立てを実施するなどが必要で、ガス絶縁スイッチギヤほどでは無いが現地での組立工数が必要という問題があった。
【００１８】
また、運転時のスイッチギヤの換気に伴って内部に侵入する塵埃や大気中に含まれるＮＯｘ、ＳＯｘなど汚損ガスによる絶縁バリヤの汚損、吸湿などによる絶縁劣化が懸念される為、空調設備による周囲環境の整備や保守時の清掃、或いは絶縁バリヤの取替えなどによるスイッチギヤの絶縁健全性確保の為の保守時間と費用が多くかかるなどの問題点があった。
【００１９】
従って、据付時の工数及び機器の取替えや設備更新に伴う停電時間が通常の搬出形機器を搭載した気中絶縁の閉鎖型配電盤と同等で、絶縁バリヤを装備して縮小したスイッチギ
ヤの搬出入スペースで搬出入可能な幅寸法が要求される。
【００２０】
この発明は、上記のような課題を解決するためになされたものであり、その目的は、輸送および搬出入時は接地カバー体を収納または取り外すことができるスイッチギヤを提供するものである。
【課題を解決するための手段】
【００２１】
この発明に係わるスイッチギヤは、機器および導体が収納されるとともに両側部に形成された開口部を有する筐体と、前記筐体の両側部に形成された開口部を閉塞するとともに前記機器の対地間絶縁距離に相当する深さを有する接地カバー体とを設け、輸送および搬出入時は前記接地カバー体を収納または取り外すことができる構造としたものである。
また、この発明に係わるスイッチギヤは、機器および導体が収納されるとともに両側部に形成された開口部を有する筐体と、前記筐体の両側部に形成された開口部を閉塞するとともに前記機器の対地間絶縁距離に相当する深さを有する接地カバー体とを設け、輸送および搬出入時は前記接地カバー体を前記筐体の内部側に収納または取り外すことができる構造とし、前記接地カバー体の外端側に設けられた第１のフランジと、前記接地カバー体の前記筐体の内側に位置するように設けられ、前記第１のフランジと相対向する第２のフランジと、前記筐体に形成されたガイド穴に貫挿されるとともに前記第１のフランジと前記第２のフランジとに取り付けられたガイド棒とを備え、前記接地カバー体は前記ガイド棒により前記筐体に形成された前記ガイド穴にガイドされて前記筐体の内部側に収納または前記筐体の外部側に引き出されるものである。
また、この発明に係わるスイッチギヤは、機器および導体が収納されるとともに両側部に形成された開口部を有する筐体と、前記筐体の両側部に形成された開口部を閉塞するとともに前記機器の対地間絶縁距離に相当する深さを有する接地カバー体とを設け、輸送および搬出入時は前記接地カバー体を前記筐体の内部側に収納または取り外すことができる構造とし、前記接地カバー体の外端側に設けられた第１のフランジと、前記接地カバー体の前記筐体の内側に位置するように設けられ、前記第１のフランジと相対向する第２のフランジと、前記筐体に形成された取付用穴と、前記筐体に形成された前記取付用穴と同軸上に前記第１のフランジに設けられた取付用穴と、前記筐体に形成された前記取付用穴と同軸上に前記第２のフランジに設けられた雌ネジ部材とを備え、前記筐体と前記第１のフランジまたは前記筐体と前記第２のフランジとを締結体により取り付けるようにしたものである。
【発明の効果】
【００２２】
この発明に係わるスイッチギヤによれば、輸送および搬出入時は接地カバー体を収納または取り外すことができるスイッチギヤを得ることができる。
【図面の簡単な説明】
【００２３】
【図１】この発明の実施の形態１に係わるスイッチギヤを示す正面図である。
【図２】この発明の実施の形態１に係わるスイッチギヤを示す断面側面図である。
【図３】この発明の実施の形態１に係わるスイッチギヤを示す要部断面平面図である。
【図４】この発明の実施の形態1に係わるスイッチギヤにおける図３のＡ部を示す拡大図である。
【００２４】
【図５】この発明の実施の形態２に係わるスイッチギヤを示す正面図である。
【図６】この発明の実施の形態２に係わるスイッチギヤを示す側面図である。
【図７】この発明の実施の形態２に係わるスイッチギヤにおける輸送・搬出入時の状態を示す正面図である。
【図８】この発明の実施の形態２に係わるスイッチギヤにおける輸送・搬出入時の状態を示す側面図である。
【図９】この発明の実施の形態２に係わるスイッチギヤにおける接地カバーを筐体外部側に引き出した状態を示す要部断面正面図である。
【図１０】この発明の実施の形態２に係わるスイッチギヤにおける接地カバーを筐体内部側に収納した状態を示す要部断面正面図である。
【００２５】
【図１１】この発明の実施の形態３に係わるスイッチギヤにおける接地カバーを筐体外部側に引き出した状態を示す要部断面正面図である。
【図１２】この発明の実施の形態３に係わるスイッチギヤにおける接地カバーを筐体内部側に収納した状態を示す要部断面正面図である。
【図１３】この発明の実施の形態４に係わるスイッチギヤを示す正面図である。
【００２６】
【図１４】従来のスイッチギヤを示す正面図である。
【図１５】従来のスイッチギヤを示す断面側面図である。
【図１６】従来の他のスイッチギヤを示す正面図である。
【図１７】従来の他のスイッチギヤを示す断面側面図である。
【図１８】絶縁バリヤの効果を示す特性図である。
【発明を実施するための形態】
【００２７】
実施の形態１．
以下、この発明の実施の形態１を図１に基づいて説明するが、各図において、同一、ま
たは相当部材、部位については同一符号を付して説明する。図１はこの発明の実施の形態１に係わるスイッチギヤを示す正面図である。図２はこの発明の実施の形態１に係わるスイッチギヤを示す断面側面図である。図３はこの発明の実施の形態１に係わるスイッチギヤを示す要部断面平面図である。図４はこの発明の実施の形態1に係わるスイッチギヤに
おける図３のＡ部を示す拡大図である。
【００２８】
これら各図において、１はスイッチギヤの筐体、３はスイッチギヤの筐体１内に収納搭載した搬出形電力遮断器である。１tはスイッチギヤの筐体１の正面側に設けた扉であり
、スイッチギヤ内部の点検や搬出形電力遮断器３の搬出入時に開閉可能になっている。
【００２９】
正面扉と反対側（図２の右側）にも、図示しないスイッチギヤの筐体１の開口部とその開口部を覆うボルト締めカバーがあり、スイッチギヤ内部の点検や搬出形電力遮断器３とスイッチギヤの接続、解体が容易に実施出来る様に配慮している。
【００３０】
このスイッチギヤでは、例えばスイッチギヤの正面側に配置した三相のブッシング４で受電した高電圧電流は可撓導体５を介して、搬出形電力遮断器３の上部端子６、電力遮断筒７、下部端子８を通り、スイッチギヤの筐体１に支持絶縁物１４で絶縁支持された導体９を通り、負荷側の可撓導体１０を介してスイッチギヤ後部のブッシング１１から送電する。
【００３１】
三相の上部端子６、電力遮断筒７、下部端子８は、それぞれ相間空間絶縁距離を確保して幅方向に直線配置され、各々の相毎に搬出形電力遮断器３の接地された台車部３ａから支持絶縁物１２及び支持絶縁物１３で絶縁支持されて、一体として搬出形電力遮断器３を構成している。
【００３２】
搬出形電力遮断器３の台車３ａは、上部端子６、電力遮断筒７、下部端子８など高電圧部位から所要の対地間絶縁耐力が確保出来る絶縁寸法を確保し、且つ正面から見て最小の幅寸法（Ｘ）で設計されている。この場合は、三相の高圧充電部を一列に配置しているので、Ｘの最小は、上部端子６、電力遮断筒７、下部端子８の高電圧部位の一番左端から右端までの寸法である。
【００３３】
勿論、三相を例えば上から見て三角配置にすれば、幅寸法Ｘは更に縮小できるが、スイッチギヤの構造が複雑になり、また奥行寸法も大きくなるので、電気室のスペース効率及び経済性の観点から最適形態として、一般的には図１、図２の様に三相を直線配置としている。
【００３４】
スイッチギヤの筐体１の左右側面は図２の二点鎖線で示すように高電圧部から所定の対地間空間絶縁距離Ｅを確保する開口部１ａ、開口部１ｂを設けている。図３は、高電圧充電部の外形が一番大きい、例えば電力遮断筒７の部分における断面平面図で、電力遮断筒７の外形から筐体の接地電位部まで対地間空間絶縁距離「Ｅ」以上確保して開口部１ａ及び開口部１ｂの開口幅寸法を決める。開口部１ａ、開口部1ｂの高さ方向寸法も同じ考え
方で決めたものである。
【００３５】
その左右の開口部１ａ、開口部１ｂを覆う形で略全周つば付き角帽子形状の金属製の接地カバー体２ａ及び接地カバー体２ｂを備えている。つば部をスイッチギヤの筐体１への固定フランジ部とした接地カバー体２ａ及び接地カバー体２ｂも図３に示すように、電力遮断筒７の外形から対地間空間絶縁距離Ｅ以上確保してある。従って、スイッチギヤの外形幅寸法は、概略、搬出形電力遮断器３の幅Ｘに左右の接地カバー体２ａ、接地カバー体２ｂの寸法を加えたＷとなる。
【００３６】
厳密には、搬出形電力遮断器３の幅Ｘに対し、スイッチギヤの筐体１の幅Ｘ１は、スイッチギヤの扉１ｔのヒンジ固定部（図示せず）など筐体構造体としての柱寸法αが加わるので、若干大きくなるが、例えば２４〜３６ｋＶ程度の中電圧スイッチギヤの場合においては、搬出形電力遮断器３の幅寸法Ｘが概略８００〜１０００ｍｍ程度に対し、αは６〜１０％（５０〜８０ｍｍ）程度で小さいため、スイッチギヤの筐体幅はＸ１≒Ｘ  である。
【００３７】
接地カバー体２ａ及び接地カバー体２ｂは、スイッチギヤの筐体１に対し、接地カバー体２ａ及び接地カバー体２ｂのフランジ部２ａ１及びフランジ部２ｂ１（図示せず）で着脱できる構造であり、例えばボルト２ｃなどの締結体により、通常のスイッチギヤの外皮カバーと同じようにして着脱することができる。
【００３８】
このように構成されたスイッチギヤの筐体１の幅Ｘ１（≒Ｘ）は、以下に示すとおり、絶縁バリヤを効果的に利用して縮小したスイッチギヤ（上述した従来の図１６、図１７に示すスイッチギヤ）の幅ＷＩにほぼ等しい寸法である。
【００３９】
絶縁バリヤによる空間距離の縮小効果は、絶縁バリヤを設けない場合に対し、絶縁バリヤを設けた場合には、空間の絶縁距離を最大約１／２程度になることが知られている。例えば、図１８に示すものは、電気学会技術報告第６２２号「中電圧開閉装置の絶縁方式の技術動向」Ｐ４７、４．２２図「バリアの位置によるインパルス特性と二重バリアの効果」（１９９７年２月）である。
【００４０】
この図１８は、バリヤの位置によって、インパルス特性（インパルス５０％せん絡値）が変ることを示しているが、図１８の電極条件で例えば絶縁バリヤを正極電極近傍（ｇが０mmに近い）時はインパルス５０％せん絡電圧は約２００ｋＶで、バリヤが無い場合は９０ｋＶ以下であるので、バリヤを設けることで約２倍の絶縁強度が得られる。負極性も同じ程度に絶縁強度を強化できる。さらに、正極及び負極の両極近傍に二重バリヤを設けた場合には、極性に関係なくインパルス５０％せん絡電圧は、約２１０ｋＶであるのに対し、バリヤ無しの場合は、負極性の場合で約１１０ｋＶであることを示している。
【００４１】
そこで、簡単の為、絶縁バリヤを用いない時の相間絶縁距離及び対地間絶縁距離を同じＬとし、絶縁バリヤを効果的に使用した場合の、縮小された相間絶縁距離及び対地間絶縁距離をＬＩとすると、
Ｌ＝２ＬＩ      ・・・・・（１）
であるので、高電圧充電部の幅寸法（例えば、電力遮断筒７の幅寸法）をｄとすると、三相回路のスイッチギヤで、この発明によるスイッチギヤの筐体幅Ｘは、
Ｘ＝３ｄ＋２Ｌ  ・・・・・（２）
【００４２】
また、絶縁バリヤを効果的に利用して相間及び対地間寸法を縮小した三相回路のスイッチギヤの幅をＷＩとすると、
ＷＩ＝３ｄ＋４ＬＩ
で、（１）式の関係から
ＷＩ＝３ｄ＋２Ｌ  ・・・・（３）
従い、（２）式と（３）式から、
ＷＩ＝Ｘ
といえる。
【００４３】
従って、スイッチギヤの両側面の接地カバー体２ａ及び接地カバー体２ｂを取り外したスイッチギヤの筐体１の幅は絶縁バリヤを有効に利用した縮小形スイッチギヤの幅と同程度とすることが出来る。
【００４４】
以上のように、この実施の形態１によれば、輸送時及び据付場所への搬出入時に、枠組み筐体の分割や、それに伴なう内部導体や機器の分解などを行なうこと無く、スイッチギヤの外皮となる接地カバー体２ａ及び接地カバー体２ｂを取り外すだけで、絶縁バリヤを有効に利用して縮小したスイッチギヤの大きさに小形化することができるので、輸送時のトラックなどへの積載時の荷台スペース効率の向上が図れるので輸送費が軽減でき、狭い搬出入通路に対応でき、据付場所で外皮カバー相当の接地カバー体２ａ及び接地カバー体２ｂを取りつけるだけの簡単な作業であるため、組立に熟練作業者が不要となる。
【００４５】
また、絶縁バリヤを使わない為に現地組立が容易で、絶縁バリヤの清掃、取替えなどの保守作業が不要で盤内汚損に対する信頼性の高いスイッチギヤを安価に得られる効果がある。
【００４６】
なお、接地カバー体２ａ及び接地カバー体２ｂは、全周つば付き楕円帽子形状、全周つば付き円形帽子形状、あるいは、つばの部分は全周でなくても、同様の効果を得ることが出来る。
【００４７】
実施の形態２．
この発明の実施の形態２を図５ないし図１０に基づいて説明するが、各図において、同一、または相当部材、部位については同一符号を付して説明する。図５はこの発明の実施の形態２に係わるスイッチギヤを示す正面図である。図６はこの発明の実施の形態２に係わるスイッチギヤを示す側面図である。図７はこの発明の実施の形態２に係わるスイッチギヤにおける輸送・搬出入時の状態を示す正面図である。図８はこの発明の実施の形態２に係わるスイッチギヤにおける輸送・搬出入時の状態を示す側面図である。図９はこの発明の実施の形態２に係わるスイッチギヤにおける接地カバーを筐体外部側に引き出した状態を示す要部断面正面図である。図１０はこの発明の実施の形態２に係わるスイッチギヤにおける接地カバーを筐体内部側に収納した状態を示す要部断面正面図である。
【００４８】
上述した実施の形態１においては、接地カバー体２ａ及び接地カバー体２ｂはスイッチギヤの筐体１の両側面にボルト締めなどの締結体により取り付け実施するものであり、一般的に鋼板などで成形され、ある程度の重量物である接地カバー体２ａ及び接地カバー体２ｂの輸送、搬出入及びその取りつけ、取り外しを行なうには、人手が多く掛かる、あるいは揚重機が必要であるなどの新たな改善事項があるが、この実施の形態２においてはこれを解消したものである。
【００４９】
図５において、スイッチギヤの筐体１は、上述した実施の形態１で示した図１とほぼ同じであるが、接地カバー体２２ａ及び接地カバー体２２ｂにそれぞれスイッチギヤの筐体１に形成されたガイド穴１ｃに貫挿されたガイド棒２２ａ１及びガイド棒２２ｂ１を設けている。
【００５０】
すなわち、図９及び図１０に示すように、接地カバー体２２ａの外端側に設けられた第１のフランジ２２ａ２と、接地カバー体２２ａの筐体１内側に位置するように設けられ、第１のフランジ２２ａ２と相対向する第２のフランジ２２ａ３と、スイッチギヤの筐体１に形成されたガイド穴１ｃに貫挿されるとともに第１のフランジ２２ａ２と第２のフランジ２２ａ３とに取り付けられたガイド棒２２ａ１とを備えている。なお、図示はしないが、接地カバー体２２ｂ側においても同様の構成となっている。
【００５１】
接地カバー体２２ａはガイド棒２２ａ１によりスイッチギヤの筐体１に形成されたガイド穴１ｃにガイドされてスライドさせて接地カバー体２２ａをスイッチギヤの筐体１の内部側に収納する。接地カバー体２２ｂも接地カバー体２２ａと同様にして、スイッチギヤ
の筐体１の内部側に収納する。
【００５２】
以上のように、接地カバー体２２ａ及び接地カバー体２２ｂをスイッチギヤの筐体１の内部側に収納してコンパクトにした状態で輸送、搬出入を行い、据付場所においては、接地カバー体２２ａ及び接地カバー体２２ｂをスイッチギヤの筐体１の内部側から引き出すだけで、運転状態の形態に戻すことが出来るため、輸送、搬出入に伴うコンパクトにする時及び元の運転状態の形態に戻すときなどに、揚重機などが不要で容易に作業が実施できる更に改良されたスイッチギヤを得ることができる。
【００５３】
図５は、この実施の形態２のスイッチギヤで、筐体１から接地カバー体２２ａ及び接地カバー体２２ｂを引き出した状態、即ち、スイッチギヤの運転状態の形態を示すものである。
【００５４】
図７は、接地カバー体２２ａ、接地カバー体２２ｂをスイッチギヤの筐体１の中に収納した形態、即ち、スイッチギヤの輸送・搬出入時の状態を示すものである。
【００５５】
図９および図１０は、スイッチギヤの筐体１と接地カバー体２２ａ及び接地カバー体２２ｂとの取り付け係合の状態を説明するものであり、図は一例として、スイッチギヤの筐体１と接地カバー体２２ａの係合主要部分を示している。
【００５６】
図９は、接地カバー体２２ａをスイッチギヤの筐体１から引き出した状態を示し、この場合、接地カバー体２２ａは、第１のフランジ２２ａ２と第２のフランジ２２ａ３を備えた角箱形態で構成され、接地カバー体２２ａの外側周縁部に第１のフランジ２２ａ２を形成した形で、その第１のフランジ２２ａ２は、接地カバー体２２ａの外側面に図示しないボルトなどの脱着可能な締結部材で固着されている。
【００５７】
そして、第１のフランジ２２ａ２と第２のフランジ２２ａ３の間にスイッチギヤの筐体１の側面に形成したガイド穴１ｃを貫通するガイド棒２２ａ１を設けており、図６及び図８に示すように、この実施の形態２においては上部側に２個、下部側に１個で合計３個を配置した構成としている。
【００５８】
図１０は、接地カバー体２２ａがスイッチギヤの筐体１の内部側に収納された状態を示している。図９の状態から接地カバー体２２ａをスイッチギヤの筐体１の内部側に押し込んでいくと、接地カバー体２２ａはガイド棒２２ａ１によりスイッチギヤの筐体１に形成されたガイド穴１ｃにガイドされてスライドさせて接地カバー体２２ａをスイッチギヤの筐体１の内部側に収納することができる。なお、図示はしないが、接地カバー体２２ｂも接地カバー体２２ａと同様にして、スイッチギヤの筐体１の内部側に収納する。
【００５９】
接地カバー体２ａ及び接地カバー体２ｂをスイッチギヤの筐体１の内部側に収納することにより、コンパクトにした状態で輸送、搬出入を行うことができる。なお、スイッチギヤの輸送、搬出入時の状態では、ブッシング４及びブッシング１１は輸送時の損傷防止の為、スイッチギヤの筐体１から取り外してある。また、搬出形電力遮断器３も、輸送時の損傷防止の為に、スイッチギヤの筐体１内から引き出した状態（図示無し）で別梱包にて輸送するのが一般的であるので、スイッチギヤの筐体１の内部に接地カバー体２２ａ及び接地カバー体２２ｂを押し込んで固定した状態でスイッチギヤの輸送、搬出入が行われる。
【００６０】
以上のように、この実施の形態２によれば、上述した実施の形態１に示した効果に加え、輸送、搬出入時のスイッチギヤのコンパクト化及び搬出入後の復旧作業が、揚重機などの設備が不要で、少ない人工費用、短時間で実施できる効果がある。また、取り付け、取
り外し時に落下あるいは誤取り付けの可能性も無く、作業信頼性が高いスイッチギヤを提供できる効果がある。また、輸送時に接地カバー体などの取り外し部材が無いため輸送時の梱包材料及び梱包費用も削減できる為、据え付け後の廃棄物も少なく総合的に環境負荷低減効果も得られる。
【００６１】
なお、接地カバー体２２ａ及び接地カバー体２２ｂは、角箱形態で構成された場合について述べたが、これに限定されるものではなく、例えば楕円箱形態、円形箱形態、あるいは、フランジ部は外側周縁部の全周でなくてもよく、上述した実施の形態２と同様の効果を得ることが出来る。
【００６２】
また、ここでは輸送時には接地カバー体をスイッチギヤの筐体１の内部側に押し込んで収納して、コンパクト化するようにしたが、接地カバー体の側面を蛇腹(ベローズ)状のものとして、輸送時には蛇腹を縮めてコンパクト化して、使用時には蛇腹を伸ばす形態でも同様の効果を得ることが出来る。
【００６３】
更に、接地カバー体の側面にヒンジ付き折り曲げ部を設けて、輸送時には折り曲げ部を曲げてコンパクト化して、使用時には折り曲げ部を伸ばす形態でも同様の効果を得ることが出来る。
【００６４】
実施の形態３．
この発明の実施の形態３を図１１および図１２に基づいて説明するが、各図において、同一、または相当部材、部位については同一符号を付して説明する。図１１はこの発明の実施の形態３に係わるスイッチギヤにおける接地カバーを筐体外部側に引き出した状態を示す要部断面正面図である。図１２はこの発明の実施の形態３に係わるスイッチギヤにおける接地カバーを筐体内部側に収納した状態を示す要部断面正面図である。
【００６５】
上述した実施の形態２においては、第１のフランジ２２ａ２と第２のフランジ２２ａ３の間にスイッチギヤの筐体１の側面に形成したガイド穴１ｃを貫通するガイド棒２２ａ１及びガイド棒２２ｂ１を設けた場合について述べたが、この実施の形態３においては、スイッチギヤの筐体１に形成された取付用穴１ｄと同軸上に第１のフランジ２２ａ２に１個以上の取付用穴２２ａ４を設け、スイッチギヤの筐体１の内部側に位置する第２のフランジ２２ａ３にスイッチギヤの筐体１に形成された取付用穴１ｄと同軸上に１個以上の取付用穴２２ａ３１を形成し、第２のフランジ２２ａ３の取付用穴２２ａ３１部に雌ネジ部材２２ａ５を設けたものである。そして、スイッチギヤの筐体１と第１のフランジ２２ａ２またはスイッチギヤの筐体１と第２のフランジ２２ａ３とはボルトなどの締結体２２ｃにより取り付けられて固定される
【００６６】
図１１は、接地カバー体２２ａをスイッチギヤの筐体１から引き出した状態を示し、スイッチギヤの筐体１と第２のフランジ２２ａ３とは、ボルトなどの締結体２２ｃがスイッチギヤの筐体１に形成された取付用穴１ｄ、第２のフランジ２２ａ３の取付用穴２２ａ３１に貫挿され、さらに、第２のフランジ２２ａ３の取付用穴２２ａ３１部に設けた雌ネジ部材２２ａ５に螺入されることにより取り付けられて固定される。すなわち、接地カバー体２２ａをスイッチギヤの筐体１から引き出された状態でスイッチギヤの筐体１に固定される。なお、図示はしないが、接地カバー体２２ｂも接地カバー体２２ａと同様にして、スイッチギヤの筐体１から引き出された状態でスイッチギヤの筐体１に固定される。
【００６７】
図１２は、接地カバー体２２ａをスイッチギヤの筐体１の内部側に収納した状態を示している。図１１の状態において、ボルトなどの締結体２２ｃを取り外した後、接地カバー体２２ａをスイッチギヤの筐体１の内部側に押し込んで、スイッチギヤの筐体１と第１のフランジ２２ａ２との位置関係を図１２に示すような状態とする。そして、取り外してお
いたボルトなどの締結体２２ｃを第１のフランジ２２ａ２に設けた取付用穴２２ａ４、スイッチギヤの筐体１に形成された取付用穴１ｄに貫挿し、締結体２２ｃのネジ部にナット２２ａ６を螺入することにより取り付けられて固定される。すなわち、接地カバー体２２ａをスイッチギヤの筐体１の内部側に収納した状態でスイッチギヤの筐体１に固定される。なお、図示はしないが、接地カバー体２２ｂも接地カバー体２２ａと同様にして、スイッチギヤの筐体１の内部側に収納した状態でスイッチギヤの筐体１に固定される。
【００６８】
従って、この状態でのスイッチギヤ全体の外形の幅寸法は、スイッチギヤの筐体１の幅に対し、僅かに接地カバー体２２ａ及び接地カバー体２２ｂの第１のフランジ２２ａ２及び第１のフランジ２２ｂ２の厚さとボルトなどの締結体２２ｃの頭部の厚みを加えた寸法である。
【００６９】
図１２の状態において、このスイッチギヤを据付場所に据え付けて搬出形電力遮断器３をスイッチギヤの筐体１の内部に搬入する場合には、ボルトなどの締結体２２ｃ及びナット２２ａ６を取り外して、接地カバー体２２ａをスイッチギヤの筐体１から引き出して、図１１に示すように、接地カバー体２２ａの内部側に位置する第２のフランジ２２ａ３部設けた雌ネジ部材２２ａ５を利用し、取り外したボルトなどの締結体２２ｃをスイッチギヤの筐体１に形成された取付用穴１ｄ、第２のフランジ２２ａ３の取付用穴２２ａ３１に貫挿し、さらに、第２のフランジ２２ａ３の取付用穴２２ａ３１部に設けた雌ネジ部材２２ａ５に螺入することにより取り付けて固定する。すなわち、接地カバー体２２ａをスイッチギヤの筐体１から引き出した状態でスイッチギヤの筐体１に固定する。なお、図示はしないが、接地カバー体２２ｂも接地カバー体２２ａと同様にして、スイッチギヤの筐体１から引き出した状態でスイッチギヤの筐体１に固定する。
【００７０】
なお、雌ネジ部材２２ａ５はナットで構成され、第２のフランジ２２ａ３の取付用穴２２ａ３１部に設けた場合について述べたが、第２のフランジ２２ａ３の取付用穴２２ａ３１にネジ穴を形成することにより雌ネジ部材２２ａ５を構成するようにしてもよい。
【００７１】
ところで、このスイッチギヤが複数面の列盤とする場合には、接地カバー体２２ａの第１のフランジ２２ａ２に形成した取付用穴２２ａ４を使用し、隣に配列するスイッチギヤの接地カバー体２２ｂと締結することで、耐震性能の高い設備を得る事が出来る。
【００７２】
実施の形態４．
この発明の実施の形態４を図１３に基づいて説明するが、図において、同一、または相当部材、部位については同一符号を付して説明する。図１３はこの発明の実施の形態４に係わるスイッチギヤを示す正面図である。
【００７３】
上述した実施の形態２および実施の形態３においては、接地カバー体２２ａ及び接地カバー体２２ｂが角箱形態の場合について述べたが、このようなスイッチギヤを複数列盤して、各スイッチギヤ間を貫通する導体などが必要な場合は、隣接する接地カバー体の側面に開口部を設けておくことにより、その開口部を貫通する配置構成が可能とすることができる。
【００７４】
隣接する接地カバー体２２ａ及び接地カバー体２２ｂの内部にスイッチギヤの間を貫通する機器や導体（図示無し）が配置してあり、接地カバー体同士は、フランジ部で、ボルトなどの締結体２２ｄとナット２２ｅで締結されている。
【００７５】
この実施の形態４においても、上述した実施の形態２あるいは実施の形態３と同様の効果が得られる。また、通常スイッチギヤの配列時には、据付配置作業で列盤の正面や裏面を極力凸凹無く美麗に仕上げるために、スイッチギヤ筐体の製作時に高い寸法精度が要求
されると共に、扉のヒンジ部の調整など輸送時の筐体歪やボルト締結部の若干のズレなどの再調整が念入りに行なわれる。この実施の形態４では、各スイッチギヤの筐体１が、かなり離れているので、正面扉や裏面側のスイッチギヤ間の若干のズレは、意匠的に気にならないものとなる。従って、スイッチギヤ据付時の位置合せ作業性が良好となり工数が大幅に低減できる効果もある。
【産業上の利用可能性】
【００７６】
この発明は、輸送および搬出入時は接地カバー体をスイッチギヤ筐体の内部側に収納または取り外すことができるスイッチギヤの実現に好適である。
【符号の説明】
【００７７】
１  筐体
１ａ  開口部
１ｂ  開口部
１ｃ  ガイド穴
１ｄ  取付用穴
２ａ  接地カバー体
２ａ１  フランジ
２ｂ  接地カバー体
２ｃ  締結体
３  搬出形電力遮断器
５  可撓導体
９  導体
１０  可撓導体
２２ａ  接地カバー体
２２ａ１  ガイド棒
２２ａ２  第１のフランジ
２２ａ３  第２のフランジ
２２ａ４  取付用穴
２２ａ５  雌ネジ部材
２２ｂ  接地カバー体
２２ｂ１  ガイド棒
２２ｂ２  第１のフランジ
２２ｃ  締結体
【図１】
0005665643.tif 000002
【図２】
0005665643.tif 000003
【図３】
0005665643.tif 000004
【図４】
0005665643.tif 000005
【図５】
0005665643.tif 000006
【図６】
0005665643.tif 000007
【図７】
0005665643.tif 000008
【図８】
0005665643.tif 000009
【図９】
0005665643.tif 000010
【図１０】
0005665643.tif 000011
【図１１】
0005665643.tif 000012
【図１２】
0005665643.tif 000013
【図１３】
0005665643.tif 000014
【図１４】
0005665643.tif 000015
【図１５】
0005665643.tif 000016
【図１６】
0005665643.tif 000017
【図１７】
0005665643.tif 000018
【図１８】
0005665643.tif 000019